(57)【特許請求の範囲】
【請求項１】
特定グループ毎の曲名リストを作成して表示する曲名リスト作成・表示手段と、
前記曲名リスト作成・表示手段により作成し表示している曲名リストにおいて、特定グループ毎に表示態様を変化して表示する表示変化処理手段と、
利用者が画面表示をスキップする指示を行った時、当該指示により、前記表示変化処理手段で表示態様を変化させた特定グループ単位で、前記曲名リストの表示をスキップして表示するスキップ処理手段と、
利用者が画面表示をスクロールする指示を行った時、当該指示により、前記曲名リスト表示画面をスクロールして表示する表示手段とを備えたことを特徴とするオーディオ装置。  
【請求項２】
前記表示変化処理手段は、特定グループ毎に表示色を変化する処理を行うことを特徴とする請求項１記載のオーディオ装置。
【請求項３】
前記表示変化処理手段は、特定グループ毎に表示するアイコンを変化する処理を行うことを特徴とする請求項１記載のオーディオ装置。
【請求項４】
前記表示変化処理手段は、特定グループ毎に文字の表示位置を変更する処理を行うことを特徴とする請求項１記載のオーディオ装置。
【請求項５】
前記表示変化処理手段は、特定グループ毎に文字のフォントを変更する処理を行うことを特徴とする請求項１記載のオーディオ装置。
【請求項６】
前記特定グループは、アルバム単位のグループであることを特徴とする請求項１〜５のいずれか一つに記載のオーディオ装置。
【請求項７】
前記特定グループは、アーティスト単位のグループであることを特徴とする請求項１〜５のいずれか一つに記載のオーディオ装置。      
【発明の詳細な説明】
【技術分野】
【０００１】
本発明は、例えばＨＤＤや不揮発性メモリ等に大量に記録したオーディオを再生出力するオーディオ装置に関し、特に小さい画面に曲名リストを表示するとき容易にアルバムやアーティストの変わり目を識別することができるようにしたオーディオ装置に関する。
【背景技術】
【０００２】
近年はハードディスクが小型化、大容量化、且つ安価になることにより、ＣＤや外部から配信された音楽データをハードディスクに、MP3等により圧縮して大量にデジタルデータで記憶し、一般のオーディオ装置を初め車載オーディオ装置、更には携帯用オーディオ装置として利用することが普及している。また、ハードディスクに限らず、各種不揮発性メモリに同様の圧縮オーディオデータを記憶し、携帯用オーディオ装置として利用することも行われている。
【０００３】
このようなハードディスク等に記憶するオーディオデータには、音楽自体のデータのほか、アルバム名、アーティスト名、ジャンル名、曲名、更には曲のリリース時期等の音楽情報が記録可能であり、ハードディスク等に記録するときに自動的に付与され、あるいは各個人が個別に付与することが行われる。したがって、このデータを用いて例えば１０００曲以上の大量に記録されている曲を、アルバム名、アーティスト名、ジャンル名等で検索し、特定のアルバム、特定のアーティスト、特定のジャンル毎のリストを作成し、適宜スキップ（スキャン）再生操作を行ってそのリストの中の任意の曲を指定し、或いはリストに沿って順に再生することができるようになっている。
【０００４】
なお、スキップ再生キーを備え、利用者がスキップ再生キーを押下すると、ハードディスクに記憶されているアルバムがスキップ再生制御され、現在スキップ再生中のアルバムがユーザの所望するアルバムであるときには、スキップ再生制御を停止して、現在スキップ再生中のアルバムを継続して再生するオーディオ装置は特許文献１に記載され、また、利用者により指定された例えばアーティスト名等のキーワードで複数のアルバムを検索し、検索された複数のアルバムのハイライト部分をスキップ再生するオーディオ装置は特許文献２に記載されている。
【特許文献１】特開２００１−１０１７６９号公報
【特許文献２】特開２００３−５０８１６号公報
【発明の開示】
【発明が解決しようとする課題】
【０００５】
前記のような携帯型とはいえども、その容量は増大傾向にあり、１０００曲以上記録できるものも多く、その再生順はオーディオ装置より異なるが、多くの場合図５のような録音済のリストを並べることができる。図示のリストの例では、曲番、曲名、アルバム名、アーティスト名を表示しているが、その他ジャンル名等の各種情報が各曲に付与されている。
【０００６】
このように多数の情報を実際のオーディオ装置の表示用画面に出すと、特にそのオーディオ装置が携帯用オーディオ装置、或いは車載用オーディオ装置のように表示スペースが限られている場合には、例えば図６に示すように最低限必要とされる曲番と曲名程度しか表示することができない。その表示に際しては特に利用者の指示がない場合は、同図（ａ）のように、ハードディスクや不揮発性メモリ等のオーディオデータ記録媒体に記録された前記図５の順に表示されることとなる。
【０００７】
図６（ａ）のように表示されたとき、利用者がこの中に希望する曲が存在しない場合には、画面をスクロールして希望する曲を探すこととなる。そのようなスクロール、或いは次の画面へのスキップを行うとき、表示された画面が図６（ｂ）のように、最初に表示されていたアルバムＡからアルバムＢに変化するとき、図示するような小型の画面においてはアルバム名が表示されていないため、実際はＮｏ．７と８の音楽データは別アルバムであるにもかかわらず、実際の画面からは認識することができない。即ち、アルバムが変化したことに気がつかない。
【０００８】
一般にオーディオ装置はＨＤＤや不揮発性メモリという単位で再生させるものではあるが、実際利用者からみれば、物理的に認知しやすいのはＣＤアルバムという一つの「もの」であり、アルバム単位で管理がされているとイメージがつきやすい。１０００曲以上という全体の管理よりも、アルバム１００枚で管理した方が利用者にとってわかり易い、という特性を持っている。
【０００９】
仮にアーティスト名、ジャンル名などで絞り込んだ場合、同一アーティスト・同一ジャンルのリストが再生されるが、やはりアルバムを認識することが困難なのは避けられない。また、上記のようなアルバムが変化したことが小型の画面からはわからない問題は、利用者が例えばアーティスト名で検索を行い、アーティスト毎のプレイリストデータを作成してこれを表示するときにも、その表示を図６（ａ）の状態から（ｂ）の状態にスクロールするとき、もしもＮｏ．７と８の音楽データが別アーティストであった場合にアーティストが変化したことがわからないという問題が生じるのも同様である。
【００１０】
この解決手段として、図７（ｂ）のようにアルバム名も表示すれば認識は可能ではあるが、デザイン的に同じ情報が並び煩雑に見えるとともに、携帯型オーディオ装置、車載オーディオ装置のような限られた表示スペースの中で、曲名とアルバム名を同一画面で表示するのはスペースの面で困難な場合が多い。また、例えばナビゲーション装置の画面に表示する場合、その表示画面が比較的広いときでも、他の各種表示を行うために２画面等の複数画面で表示しなければならない場合があり、その際にはやはり限られたスペースで前記のようなオーディオ用の表示を行わなければならず、同様の問題を生じる。
【００１１】
したがって本発明は、限られたスペースに曲名を表示するに際して、アルバム名、或いはアーティスト名を表示することなしに、曲名のリスト表示中でアルバム名或いはアーティスト名が変化したことを容易に識別できるようにしたオーディオ装置を提供することを主たる目的とする。
【課題を解決するための手段】
【００１２】
本発明は、曲名しか表示されていないリストに対して、色分けやアイコン等を用いることにより、アルバムの境界を認識させることにより前記課題を解決するものであり、本発明はより具体的には下記の手法を採用する。即ち、本発明に係るオーディオ装置は、特定グループ毎の曲名リストを作成して表示する曲名リスト作成・表示手段と、前記曲名リスト作成・表示手段により作成し表示している曲名リストにおいて、特定グループ毎に表示態様を変化して表示する表示変化処理手段と、利用者が画面表示をスキップする指示を行った時、当該指示により、前記表示変化処理手段で表示態様を変化させた特定グループ単位で、前記曲名リストの表示をスキップして表示するスキップ処理手段と、利用者が画面表示をスクロールする指示を行った時、当該指示により、前記曲名リスト表示画面をスクロールして表示する表示手段とを備えたことを特徴とする。
【００１３】
また、本発明に係る他のオーディオ装置は、前記オーディオ装置において、前記表示変化処理手段が、特定グループ毎に表示色を変化する処理を行うことを特徴とする。
【００１４】
また、本発明に係る他のオーディオ装置は、前記オーディオ装置において、前記表示変化処理手段は、特定グループ毎に表示するアイコンを変化する処理を行うことを特徴とする。
【００１５】
また、本発明に係る他のオーディオ装置は、前記オーディオ装置において、前記表示変化処理手段は、特定グループ毎に文字の表示位置を変更する処理を行うことを特徴とする。
【００１６】
また、本発明に係る他のオーディオ装置は、前記オーディオ装置において、前記表示変化処理手段は、特定グループ毎に文字のフォントを変更する処理を行うことを特徴とする。
【００１７】
また、本発明に係る他のオーディオ装置は、前記オーディオ装置において、前記特定グループは、アルバム単位のグループであることを特徴とする。
【００１８】
また、本発明に係る他のオーディオ装置は、前記オーディオ装置において、前記特定グループは、アーティスト単位のグループであることを特徴とする。
【発明の効果】
【００１９】
本発明は上記のように構成したので、狭い表示範囲に曲名のリストのみしか表示されていないときでも、その一連の曲が特定のアルバムからのものであり、他の一連の曲とは異なったアルバムであること、或いはその一連の曲が特定のアーティストの曲であり、他の一連の曲とは異なったアーティストの曲であること等を、容易に識別できるようにすることを主たる目的とする。  
【発明を実施するための最良の形態】
【００２０】
本発明は単に曲名のリストのみしか表示されていないときにおいても、一連の曲が特定のアルバム、或いはアーティストの曲であり、他の一連の曲とは異なっていることを容易に識別することができるようにする、という目的を、特定グループ毎の曲名リストを表示する曲名リスト表示手段と、前記曲名リスト表示手段により表示している曲名リストにおいて、特定グループ毎に表示態様を変化する表示変化処理手段とを備えることにより実現した。
【実施例１】
【００２１】
本発明の実施例を図面に沿って説明する。図１は本発明によるオーディオ装置における曲情報を表示する表示処理部分を中心に示した機能ブロック図であり、特に曲情報のリストとして曲名のリストを表示する際、アルバム単位、或いはアーティスト単位に異なった表示を行うようにした表示変化処理部１を中心として、各種の態様で実施することができるようにした機能ブロック図の例を示している。なお図１における各機能を行う機能部は、各機能を行う手段ということもできる。
【００２２】
図１において、本発明の機能の中心となる表示変化処理部１には、どのような単位で表示変化を行うかを選択する表示変化単位選択部２を備え、図示実施例ではアルバム単位で表示変化を行うアルバム単位表示変化処理部４と、アーティスト単位で表示変化を行うアーティスト単位表示変化処理部５とを備えた例を示している。このような表示変化処理以外にも必要に応じて各種の単位で表示変化を行うことができ、例えばジャンルの単位、或いは曲のリリース年単位等で表示変化を行うときには、それらの単位に対応する表示変化処理部を設ける。これらの表示変化処理部は必要に応じて個別に、或いはそれらを組み合わせて用いることができる。
【００２３】
図１における表示変化処理部１には表示変化を行う態様を選択する表示態様選択部３を備え、図示実施例では前記アルバムやアーティスト等についての各表示変化単位に対して、色分けによって表示変化を与える色分け表示部６を備え、例えば図４（ａ）のように、曲番号０７迄のアルバム、或いはアーティスト等と、曲番号０８からのアルバム或いはアーティスト等とは、その単位が異なっている、即ち異なったアルバム或いは異なったアーティストの一連の曲であることを、例えば白と赤の２色の色分け、或いは多数の単位毎に白、赤及び青の３色の色分け等、種々の態様の色分けで表示する。
【００２４】
それにより、単なる曲名のリストのみが表示されているにもかかわらず、この部分で一連の曲からなるアルバム、或いはアーティスト等が変わる、即ちアルバム名或いはアーティスト名が変化することを利用者に明瞭に示すことができるようになる。
【００２５】
図１における表示態様選択部３には、他の表示変化を与える手法として各アルバム毎或いはアーティスト毎に何らかの識別可能な図形を表すアイコン表示部７を備えている。その際には例えば図４（ｂ）に示すような白丸と黒丸の表示により、それらの変化を表すようにすることもできる。このようなアイコンの表示は、色や形を変えることによって、より明瞭に、或いはより興味深い表示が可能となる。
【００２６】
また、表示態様選択部３には表示位置変更部８を備え、例えば図４（ｃ）のように、曲番号、曲名等の表示位置を変更し、その変更部分でアルバム、或いはアーティスト等が変わっていることを示すこともできる。更にフォント変化表示部９を備え、例えば図４（ｄ）のように曲名等の表示フォントを適宜変えるようにしても良い。
【００２７】
図１のオーディオ装置においては多数の曲を記録したＨＤＤデータ１０を備え、前記図５に示すようなデータとオーディオデータを記録している。また、再生操作指示部１１には利用者の種々の再生指示信号を入力できるようにており、その中には再生曲を選択指示する再生曲選択指示部１２を備えている。
【００２８】
スキップ処理部１３では、再生を行う曲のリストに従って、アルバム単位でスキップを行うアルバム単位スキップ処理部１４と、アーティスト単位でスキップを行うアーティスト単位スキップ処理部１５とを備えている。この例は前記表示変化処理部における表示変化単位選択部２の各種態様に合わせて設けた例を示しており、従ってこのスキップ処理部においても、その他ジャンル単位、曲のリリース年単位等のスキップ処理部を設けることができる。
【００２９】
曲名リスト作成・表示部１６では、再生操作指示部１１から入力した利用者による、例えばアルバム単位の表示指示、或いはアーティスト単位の表示指示により、ＨＤＤデータを検索して各単位毎の曲名リストを作成し、これを表示出力部１７から表示部１８に表示する。その際、曲名リスト作成・表示部１６では、前記のような表示変化処理部１で処理した各種態様の表示変化に応じて表示処理を行う。それにより表示部１７においては、前記図４のような各種態様の表示を行うことができる。図１には表示態様選択部３における色分け表示部６で処理した、図４（ａ）のような色分け表示を行った例を示している。
【００３０】
再生制御部１９では、再生操作指示部１１の指示により、またスキップ処理部１３による各種スキップの態様によって、ＨＤＤデータ１０から圧縮されたデジタルオーディオデータを読み込み、再生処理を行ってスピーカ２０或いはイヤホン等に出力する。このような任意の曲の再生に際しては、利用者が表示部１８に表示された図４に示されるような各種の態様の表示を見て、適宜スキップ操作によって所望のアルバム、アーティスト等を選択し、更に必要に応じてその中の所望の曲を選択して聴くことができる。
【００３１】
図１のような機能ブロックからなる本発明のオーディオ装置においては、例えば図２及び図３に示すような作動フローにより、所望のオーディオリスト表示・再生処理を行うことができる。即ち図２に示すオーディオリスト表示・再生処理においては、最初利用者によってオーディオ再生の選択がなされた後（ステップＳ１）、アルバム単位の再生指示がなされているか否かの判別を行う（ステップＳ２）。ここでアルバム単位の再生指示がなされていないと判別したときには、図２に示す例においては図３に示すようなアーティスト単位の再生・表示処理を行う。
【００３２】
ステップＳ２でアルバム単位の再生指示がなされていると判別したきには、アルバム単位に異なる表示を行う（ステップＳ３）。このときの表示処理は図１の表示変化処理部１における表示変化単位選択部２でアルバム単位表示変化処理部４の処理が選択され、表示態様選択部３で任意の態様の変化処理を選択することにより行われる。これらの表示態様の選択に際しては、予め特定の処理部のみを備えてもよく、或いは複数の処理部を備えて利用者によって予め選択しておくこともできる。また、複数の処理部を併用し、例えば色分けすると共に表示フォントを変える等の複合処理を行うことも可能である。
【００３３】
図２に示す作動フローにおいては、前記のようにアルバム単位に異なった表示を行った後、その表示を参照して利用者がアルバム単位のスキップ再生処理を行って、所望の曲を再生する例を示しており、前記のようにステップＳ３の表示処理を行った後、アルバム単位のスキップ指示があるか否かを判別する（ステップＳ４）。ここでアルバム単位のスキップ処理の指示がないときには、利用者が表示画面のスクロール等によって所望の曲を指示して再生を行う通常の表示・再生処理を行う（ステップＳ１４）。
【００３４】
ステップＳ４においてアルバム単位のスキップ指示があるときには、ステップＳ３において表示しているアルバム単位の表示において、現在表示しているアルバムの次のアルバムを選択して表示する。その表示に際しては、次のアルバムの最初の曲が表示リスト中の最初に表示する等、種々の態様で表示を行う。このようにして表示された次のアルバムについては、先の表示とは異なった態様で表示されることにより、表示部に表示されている曲名リストでは分からないものの、その表示態様が異なることにより、先のアルバムとは異なったことが容易に識別できる。
【００３５】
このような次のアルバムの表示において、利用者が曲名等から判断して再生を希望するアルバムか否かを判断し（ステップＳ６）、再生を希望するアルバムではないと判別したときにはステップＳ５に戻って更に次のアルバムを表示する。このときにおいてもアルバム毎に異なった表示がなされるので、容易にアルバムが変化したことを識別することができる。ステップＳ６において再生を希望するアルバムであると判断したときには、その表示画面中に再生希望曲が表示されているか否かを判断する（ステップＳ７）。ここで再生希望曲が表示されていると判断されたときには、再生曲指示カーソルを再生希望曲に移動して、再生開始の指示信号を入力する（ステップ８）。
【００３６】
その後は再生停止指示があったか否かを判別し（ステップＳ９）、再生停止指示があったときには再生の停止処理を行い（ステップＳ１８）、未だ再生停止指示がないときには再生指示曲の再生は終了したか否かを判別し（ステップＳ１０）、未だ再生が終了していないときには前記ステップＳ９に戻って前記作動を繰り返し、再生が終了したときには、図示実施例では同じアルバムに未再生曲が存在するか否かを判別している（ステップＳ１１）。
【００３７】
ステップＳ１１で同じアルバムに未再生曲が存在すると判別したときには、同じアルバムの次の未再生曲の再生を行い（ステップＳ１２）、ステップＳ９に戻って前記作動を繰り返す。また、前記ステップＳ１１において同じアルバムに未再生曲が存在しないと判別したときには図２の例においてはステップＳ５に戻り、現在表示しているアルバムの次のアルバムを表示し、そのアルバムが再生希望アルバムであるか否かを判別し、以降前記と同様の作動を繰り返す。
【００３８】
また、前記ステップＳ６で再生希望アルバムであると判別した後、ステップＳ７において再生希望曲が表示されていないと判別したときには、同じアルバムの曲をスクロール表示し（ステップＳ１５）、希望の曲は表示されているか否かを判別し（ステップＳ１６）、未だ希望の曲が表時されていないと判別したときにはアルバム内の曲は全て表示されたか否かを判別し（ステップＳ１７）、表示画面を見て異なった表示態様の部分に至っていないと判別したときには前記ステップＳ１５に戻って同じアルバムの曲をスクロール表示する。ステップＳ１７においてアルバム内の曲は全て表示されたと判別したとき、即ちアルバム毎に異なった態様で標示されている境界部分に達したときには、ステップＳ５に戻って現在表示しているアルバムの次のアルバムの表示を行い、前記の作動を繰り返す。
【００３９】
一方、前記ステップＳ２においてアルバム単位の再生指示がされていないと判別したときにおけるアーティスト単位の再生・表示処理に際しては、図３に示すように、ほぼ図２のステップＳ２以降と同様の処理を行うこととなる。ここでは最初にステップＳ２１においてアーティスト単位の再生指示がなされているか否かの判別でアーティスト単位の再生指示がなされていないと判別したときには、図示の例では通常の表示と再生の処理を行っている（ステップＳ３２）。但し、ここで例えばジャンル別に異なった表示を行うときには、更にジャンル単位の再生指示がされているか否かの判別を行い、図２或いは図３と同様の処理を行うようにしても良い。ステップＳ２１でアーティスト単位の再生指示がされていると判別したときには、アーティスト単位に異なった表示を行う（ステップＳ２２）。その後は前記図２の態様と、アルバムとアーティストとが異なるのみで、ほぼ同様の処理を行うので、重複説明は省略する。
【００４０】
本発明においては上記のような作動を行う結果、利用者が「確かこの曲が入っているアルバムの最後の方の曲だったな」、といったうろ覚えの場合でも、表示部に表示された曲名リストの色が変わっているところ等の、表示態様が異なる部分の前から探していけばよい。また、例えば次のアルバムの最初の曲の部分を飛ばして第２番目を選択する等により、これが視覚的に操作できるようになる。
【図面の簡単な説明】
【００４１】
【図１】本発明の実施例の機能ブロック図である。
【図２】同実施例におけるオーディオリスト表示・再生処理の機能ブロック図である。
【図３】同機能ブロック図におけるステップＳ１３のアーティスト単位の再生・表示処理の機能ブロック図である。
【図４】本発明による各種表示態様変化例を示す図である。
【図５】ＨＤＤ等に記録されるオーディオデータの例を示す図である。
【図６】同オーディオデータに基づいて表示部にそのまま表示される曲名リストの例を示す図である。
【図７】同オーディオデータに基づいてアルバム名を表示する時の例を示す図である。
【符号の説明】
【００４２】
１  表示変化処理部    
２  表示変化単位選択部
３  表示態様選択部
４  アルバム単位表示変化処理部
５  アーティスト単位表示変化処理部
６  色分け表示部
７  アイコン表示部
８  表示位置変化部
９  フォント変化表示部
１０  ＨＤＤデータ
１１  再生操作指示部
１２  再生曲選択指示部
１３  スキップ処理部
１４  アルバム単位スキップ処理部
１５  アーティスト単位スキップ処理部
１６  曲名リスト作成・表示部
１７  表示出力部
１８  表示部
１９  再生制御部
２０  スピーカ
【図１】
0004761379.tif 000002
【図２】
0004761379.tif 000003
【図３】
0004761379.tif 000004
【図４】
0004761379.tif 000005
【図５】
0004761379.tif 000006
【図６】
0004761379.tif 000007
【図７】
0004761379.tif 000008